(57)【要約】【課題】簡単な構造で幅広の紐を確実に締め付けて、張力を付与することができる紐締め具を提供する。【解決手段】  板状の第一側面板１２と、第一側面板１２の一側面から立ち上がる縦長部材である巻付部１４と、巻付部１４を長手方向に分割したスリット状の差込部１８を有する。巻付部１４の先端付近には、第一側面板１２に対向する第二側面板３０を備える。巻付部１４の先端には、フランジ部が１６一周して設けられている。フランジ部１６には、第二側面板３０がその長手方向の一端部付近で揺動可能に取り付けられている。第二側面板３０の巻付部１４と反対側の自由端部付近には、回転止め部３４が一体に設けられている。第一側面板１２の巻付部１４と反対側の端部には、回転止め部３４の先端が保持される保持突起２６が設けられている。【選択図】図１
2007068442.tif 000002
【特許請求の範囲】
【請求項１】
板状の第一側面板と、前記第一側面板の一側面から立ち上がる縦長部材である巻付部と、前記巻付部を長手方向に分割したスリット状の差込部と、前記巻付部の先端付近に設けられ前記第一側面板に対向する第二側面板と、前記第一側面板と前記第二側面板の間に設けられ前記第一側面板と前記第二側面板を着脱自在に連結する回転止め部が設けられていることを特徴とする紐締め具。
【請求項２】
前記第一側面板の前記巻付部には、前記第二側面板が揺動可能に取り付けられ、前記第二側面板の前記巻付部と反対側の自由端付近には前記回転止め部が一体に設けられ、前記第一側面板には、前記回転止め部の先端が保持される保持突起が設けられていることを特徴とする請求項１記載の紐締め具。
【請求項３】
前記保持突起は、前記第一側面板の一側面から突出する筒状に形成され、内周面の断面形状は、前記第二側面板の揺動に伴って移動する前記回転止め部先端の軌跡に沿った方向に長い楕円形に形成されていることを特徴とする請求項１または２記載の紐締め具。
【請求項４】
前記第二側面板には、前記第一側面板に対して対面する位置に閉じられたときに前記巻付部に係止する複数の係止部が形成されていることを特徴とする請求項１または２記載の紐締め具。
【発明の詳細な説明】
【技術分野】
【０００１】
この発明は、合成樹脂製のシートやその他の部材を枠組み等に固定する際に用いられる紐締め具に関する。
【背景技術】
【０００２】
従来、温室のビニールシートを枠組みに固定する際は、ビニールシートの表面に押さえ用の扁平な紐を掛け渡し、その紐の両端部を枠組みの枠材に結び付けて固定していた。しかし、紐の長さを調節する場合や紐の張りを強くする際は、枠材に結びつける紐の端部を引っ張って締め付けており、その作業が面倒なものであった。また、紐の締め付け途中で紐自体が弛んでしまいやすく、十分な締め付けができなかった。そこで、これを解決するために、特許文献１、２に開示されているように、紐の結び付けと、締め付け作業を容易にする紐締め具が提供されている。
【特許文献１】特開平１１−３０８９３１号公報
【特許文献２】登録実用新案公報３０７２０２０号公報
【発明の開示】
【発明が解決しようとする課題】
【０００３】
上記従来の技術の特許文献１、２の場合、いずれも幅が細い紐を用いたものであった。特許文献１に開示されている紐締め具を幅が広い紐に使用するときは、巻き付け部と回転止め部を紐の幅に合わせて長く形成しなければならず、また紐を巻き付け部に巻き回すときに回転止め部が支障となり、係止部が紐の通路上から退避させるために紐を捻らなければならず、紐にゆるみが生じて十分な締めができなかった。また、特許文献２に開示されているビニールハウス用扁平紐の固定具も同様に、紐巻と回転止めを紐の幅に合わせて長くしなければならず、また回転止めが紐の通路上から退避するように捻らなければならず、紐を効率良く強く締めることができなかった。
【０００４】
この発明は、上記従来の技術の問題点に鑑みてなされたものであり、簡単な構造で幅広の紐を確実に締め付けて、張力を付与することができる紐締め具を提供することを目的とする。
【課題を解決するための手段】
【０００５】
本発明は、板状の第一側面板と、前記第一側面板の一側面から立ち上がる縦長部材である巻付部と、前記巻付部を長手方向に分割したスリット状の差込部と、前記巻付部の先端付近に設けられ前記第一側面板に対向する第二側面板と、前記第一側面板と前記第二側面板の間に設けられ前記第一側面板と前記第二側面板を着脱自在に連結する回転止め部が設けられている紐締め具である。
【０００６】
また、前記第一側面板と前記第二側面板は、一方向に長い形状に形成され、前記第一側面板の長手方向の一端部付近に前記巻付部が設けられている。前記巻付部の先端にはフランジ部が一周して設けられている。前記フランジ部には、前記第二側面板が前記第二側面板の長手方向の一端部付近で揺動可能に取り付けられ、前記第二側面板の前記巻付部と反対側の自由端部付近には前記回転止め部が一体に設けられている。そして前記第一側面板の前記巻付部と反対側の端部には、前記回転止め部の先端が保持される保持突起が設けられている。
【０００７】
また、前記保持突起は、前記第一側面板の一側面から突出する筒状に形成され、内周面の断面形状は、前記第二側面板の揺動に伴って移動する前記回転止め部先端の軌跡に沿った方向に長い楕円形に形成されている。
【０００８】
また、前記第二側面板には、前記第一側面板に対して略平行な位置に閉じられたときに前記巻付部に弾性的に係止する複数の係止部が形成されている。
【発明の効果】
【０００９】
本発明の紐締め具は、簡単な構造で、幅広の紐を確実に枠材等に連結し、また紐を弛みなく締め付けて、シートやその他の部材の取り付けを強固にすることができる。これにより、締め付け用の紐の扱いが簡単になり、弛んだ紐の張力調整も容易に行うことができる。
【発明を実施するための最良の形態】
【００１０】
以下、この発明の実施形態について図面に基づいて説明する。図１、図２はこの発明の一実施形態を示すもので、この実施形態の紐締め具１０は、板状の第一側面板１２が設けられている。第一側面板１２は、一方向に長い形状に形成され、長手方向の一端部１２ａは大きい半径の円弧状に形成され、他方の端部１２ｂはそれより小さい半径の円弧状に形成されている。第一側面板１２は、長手方向に沿う両側縁部が端部１２ｂから端部１２ａに向かって徐々に離れて、幅広になるように形成されている。
【００１１】
第一側面板１２の一方の側面１２ｃには、端部１２ａの円弧の中心付近から、側面１２ｃに対してほぼ直角に突出して、円柱状の巻付部１４が一体に設けられている。巻付部１４の先端にはフランジ部１６が設けられている。フランジ部１６は、第一側面板１２に対してほぼ平行に、つまり巻付部１４の軸方向に対してほぼ直角に、巻付部１４の周縁部を一周して突出している。巻付部１４とフランジ部１６には、巻付部１４の長手方向に沿って中心軸から２分割するスリット状の差込部１８が形成されている。差込部１８は、フランジ部１６と巻付部１４を長手方向に貫通して、第一側面板１２の側面１２ｃに達している。また差込部１８を形成する面は、第一側面板１２の長手方向に対して直交する方向に形成され、巻付部１４とフランジ部１６の半径方向に貫通している。
【００１２】
フランジ部１６の、巻付部１４側とは反対側の側面１６ａには、差込部１８よりも第一側面板１２端部１２ａ側に、L字形突起２０が形成されている。L字形突起２０はフランジ部１６の側面１６ａからほぼ直角に立ち上がり、先端は第一側面板１２端部１２ａ側へほぼ直角に折り曲げられている。L字形突起２０は、差込部１８の端縁部１８ａに沿って同形の３個が等間隔に設けられている。フランジ部１６の側面１６ａには、差込部１８よりも第一側面板１２中心側に、後述する第二側面板３０を係止する係止部である一対のコの字形突起２２が形成され、コの字形突起２２の近傍には同じく係止部である凹部２４が形成されている。
【００１３】
第一側面板１２の側面１２ｃには、端部１２ｂの円弧の中心付近に、後述する回転止め部３４が嵌合される円筒形の保持突起２６が形成されている。保持突起２６の内側の円筒形の空間の形状は、後述する回転止め部３４が差し込まれるときの軌跡に沿った形状、つまり第一側面板１２の端部１２ｂ側へ長く形成された楕円形状に形成されている。
【００１４】
第一側面板１２の側面１２ｃと反対の側面１２ｄには、板状の補強部２８が設けられている。補強部２８は、第一側面板１２の長手方向に沿って、端部１２ａから端部１２ｂにかけて形成されている。補強部２８の、第一側面板１２の長手方向に直交する厚みは一定であり、長手方向に平行な形状は、両端部付近で外側に２箇所膨出する波形である。
【００１５】
フランジ部１６の側面１６ａには、第一側面板１２に対して平行な第二側面板３０が連結されている。第二側面板３０は、一方向に長く第一側面板１２よりは短い形状に形成され、長手方向の一端部３０ａは、第一側面板１２の端部１２ａの直径の約半分程度の幅である。端部３０ａの形状は、フランジ部１６に形成された３個のL字形突起２０を両側から挟むコの字形に形成され、コの字形の開口端には、L字形突起２０の角部内側に差し込まれ回転可能に係止される軸部３２が一体に形成されている。第二側面板３０の他方の端部３０ｂは、第一側面板１２の端部１２ｂとほぼ等しい半径の円弧状に形成されている。第二側面板３０の長手方向に沿う両側縁部は、中心に近づくにつれて徐々に近くなる鼓形に似た形状である。
【００１６】
第二側面板３０の、第一側面板１２に対面する側面３０ｃには、端部３０bの円弧の中心付近から、側面３０ｃに対してほぼ直角に、丸棒状の回転止め部３４が一体に設けられている。回転止め部３４の長さは、第一側面板１２の巻付部１４の長さとほぼ等しい。第二側面板３０の側面３０ｃには、フランジ部１６の縁部に弾性的に係止されるフック部３６と、コの字形突起２２に嵌合される円形突起３８、凹部２４に嵌合される凸部４０が形成されている。
【００１７】
第二側面板３０は、フランジ部１６のL字形突起２０内で軸部３２が回転することにより揺動自在に設けられている。回転止め部３４の先端が第一側面板１２の保持突起２６に保持されているときは、第一側面板１２と第二側面板３０が互いに平行になり、第二側面板３０のフック部３６、円形突起３８、凸部４０が、それぞれフランジ部１６の端縁部、コの字形突起２２、凹部２４に係止され、不用意に開くことを防いでいる。そして第二側面板３０を第一側面板１２から引き起こして係止を解除すると、第二側面板３０はフランジ部１６のL字形突起２０に軸止された棒部３２の軸周りを中心として揺動可能となり、約１８０度まで任意の角度に開く。
【００１８】
次に、この紐締め具１０の使用方法について図３に基づいて説明する。先ず、幅が広い紐４２を所定の被締め付け部材４６の表面に掛け渡し、その端部４２ａを被締め付け部材４６の下端部近くでほぼ水平に組まれた枠材４４に一回巻き回して上方に折り返す。そして、図３（ａ）に示すように、枠材４４より少し上方で、折り返されて２重に重ねた紐４２に、紐締め具１０を、第二側面板３０を開いた状態にして、差込部１８に２重の紐４２を差し込み、巻付部１４を紐４２へ交差して重ねる。紐４２に弛みがある場合、図３（ｂ）のように紐締め具１０の第一側面板１２を、端部１２bを紙面厚み方向の向こう側へ回しながら半回転させ、巻付部１４に紐４２を巻き付けて紐４２を短くし、適宜この操作を繰り返して弛みをなくす。そして、図３（ｃ）に示すように第二側面板３０を閉じて回転止め部３４を保持突起２６に差し込み、回転止め部３４が紐４２に当接して、紐締め具１０が逆戻りすることを防ぐ。
【００１９】
ここで、弛みが残っているときは、図３（ｄ）のように第一側面板１２をさらに１８０度回転させた後、第二側面板３０を閉じて、紐４２に弛みを解消する。なお、紐４２の弛みがなくなるまで、第一側面板１２は何回転させてもよく、図３と反対方向に回転させて巻付部１４に紐４２を巻き回してもよい。第二側面板３０を止める位置は、図３（ｃ）（ｄ）のどちらでもよく、紐４２の張り具合が適した方を選択することができる。第一側面板１２を回転させたり、回転を止めたりするときに補強部２８を保持して行ってもよい。
【００２０】
また、取り外すときは、紐４２に当接している回転止め部３４を、第二側面板３０を開いて外すことにより、簡単に紐４２から外すことができる。
【００２１】
この実施形態の紐締め具１０によれば、簡単な構造で確実に幅が広い紐４２の弛みを解消することができる。紐４２に紐締め具１０を係止するときに紐４２をねじったりすることがなく、簡単で確実に弛みなく係止して、ビニールハウス等の被締め付け部材４６の締め付けを効率よく行うことができる。また、第一側面板１２、補強部２８、第二側面板３０は丸みを帯びた形状であり、紐４２やビニールシート等に傷を付ける恐れがなく、安全である。紐締め具１０は、巻付部１４に紐４２を半回転巻き回す毎に係止することができるため、紐４２の締め具合を細かく調整することが可能である。フランジ部１６と第二側面板３０は、第二側面板３０のフック部３６、円形突起３８、凸部４０が、それぞれフランジ部１６の端縁部、コの字形突起２２、凹部２４に弾性的に係止され、閉じられているため、不容易に開くことがなく、安全である。また、開くときは力を加えれば容易に開き、紐４２から紐締め具１０を外すことができる。
【００２２】
なお、この実施形態の紐締め具によれば、上記実施形態に限定されるものではなく、各部材の形状や数など自由に変更可能である。差込部に入る範囲であれば、どんな幅の紐にも対応可能であり、細い紐や断面が丸い紐でも使用することができる。また、巻付部の先端のフランジ部は第二側面板と一体に設けられ、第二側面板に揺動可能な回転止め部が取り付けられたもの等でも良い。
【図面の簡単な説明】
【００２３】
【図１】この発明の一実施形態の紐締め具の正面図である。
【図２】この実施形態の紐締め具の平面図である。
【図３】この実施形態の紐締め具の使用状態を示す正面図である。
【符号の説明】
【００２４】
１０  紐締め具
１２  第一側面板
１４  巻付部
１６  フランジ部
１８  差込部
２０  L字形突起
２６  保持突起
２８  補強部
３０  第二側面板
３４  回転止め部
【図１】
2007068442.tif 000003
【図２】
2007068442.tif 000004
【図３】
2007068442.tif 000005